(57)【要約】【課題】メッセージ表示を行わなくとも直感的に操作手順が理解できるようにする。【解決手段】携帯電話器等の外部機器に対して、光ディスク等の記録媒体から再生したデータを転送するデータ転送装置において、そのデータ転送のためのユーザー操作を、第１，第２，第３の発光部の発光動作により案内する。即ち、ユーザーが第１，第２，第３の発光部の点滅（Ｆ１０２、Ｆ１０５）などに応じて、外部機器の接続や転送開始の操作、或いは記録媒体の装填等を行えばよいようにし、取扱説明書を見なくとも正しく操作できるようにする。【選択図】図４
2008003664.tif 000002
【特許請求の範囲】
【請求項１】
外部機器を接続するコネクタ部と、
記録媒体に記録されているデータを再生する再生部と、
上記再生部で再生されるデータを、上記コネクタ部に接続された外部機器に転送させる転送処理部と、
上記コネクタ部に対応する位置において発光動作を行う第１の発光部と、
上記コネクタ部に接続された外部機器に対してのデータ転送の実行指示のための操作子とされた転送操作部と、
上記転送操作部に対応する位置において発光動作を行う第２の発光部と、
上記コネクタ部に外部機器が接続されていない状態において、上記第１の発光部に、外部機器の接続を誘導する発光態様の発光動作を実行させるとともに、上記コネクタ部に外部機器が接続されていることが確認された状態において、上記第２の発光部に、上記転送操作部の操作を誘導する発光態様の発光動作を実行させる制御部と、
を備えたことを特徴とするデータ転送装置。
【請求項２】
上記再生部は、可搬性の記録媒体からデータを再生する再生部であるとともに、
記録媒体に関しての発光動作を行うように配置された第３の発光部を備え、
上記制御部は、
上記再生部に記録媒体が装填されていない場合は、上記第３の発光部に、記録媒体の装填を誘導する発光態様の発光動作を実行させることを特徴とする請求項１に記載のデータ転送装置。
【請求項３】
上記制御部は、上記コネクタ部に外部機器が接続されていることが確認され、かつ上記再生部にデータ再生可能な記録媒体が装填されていることが確認されたら、上記第２の発光部に、上記転送操作部の操作を誘導する発光態様の発光動作を実行させることを特徴とする請求項２に記載のデータ転送装置。
【請求項４】
上記制御部は、上記第１の発光部に、外部機器の接続を誘導する発光態様として、発光と消灯を繰り返す発光動作を実行させることを特徴とする請求項１に記載のデータ転送装置。
【請求項５】
上記制御部は、上記第２の発光部に、上記転送操作部の操作を誘導する発光態様として、発光と消灯を繰り返す発光動作を実行させることを特徴とする請求項１に記載のデータ転送装置。
【請求項６】
上記制御部は、上記第３の発光部に、記録媒体の装填を誘導する発光態様として、発光と消灯を繰り返す発光動作を実行させることを特徴とする請求項２に記載のデータ転送装置。
【請求項７】
外部機器を接続するコネクタ部と、
記録媒体に記録されているデータを再生する再生部と、
上記再生部で再生されるデータを、上記コネクタ部に接続された外部機器に転送させる転送処理部と、
上記コネクタ部に対応する位置において発光動作を行う第１の発光部と、
上記コネクタ部に接続された外部機器に対してのデータ転送の実行指示のための操作子とされた転送操作部と、
上記転送操作部に対応する位置において発光動作を行う第２の発光部と、
を備えたデータ転送装置の操作誘導方法として、
上記第１の発光部に、上記コネクタ部への外部機器の接続を誘導する発光態様の発光動作を実行させるステップと、
上記コネクタ部への外部機器の接続を確認するステップと、
上記コネクタ部に外部機器が接続されたことが確認された状態において、上記第２の発光部に、上記転送操作部の操作を誘導する発光態様の発光動作を実行させるステップと、
を備えることを特徴とする操作誘導方法。
【発明の詳細な説明】
【技術分野】
【０００１】
本発明は、記録媒体に記録されているデータを携帯電話機等の外部機器に転送することのできるデータ転送装置及びその操作誘導方法に関するものである。
【背景技術】
【０００２】
【特許文献１】特開２００１−５１７７７号公報
【０００３】
近年、各種多様な電子機器が開発されて一般ユーザーに提供され、ユーザーの利便性を向上させているが、その一方で、新規な多様な製品の提供によって、ユーザーにとって操作がわかりにくくなりやすいという現状がある。
通常ユーザーには、電子機器を入手した際に、その取扱説明書を読んで操作手順を理解することが求められるが、取扱説明書を読むことを面倒と思うユーザーも多い。
そこで、例えば上記特許文献１のように、装置に設けられた液晶ディスプレイ等による表示部に操作案内メッセージを順次表示させることで、取扱説明書を確認しなくとも、ユーザーが順を追って必要な操作を実行できるようにしたものも提案されている。
【発明の開示】
【発明が解決しようとする課題】
【０００４】
ところが、操作案内のメッセージ表示を行うようにするために液晶ディスプレイ等の表示部を設けることは、機器の構成の負担となる。即ち構成の複雑化やコストアップ、さらには消費電力の増加などにつながる。
そこで本発明では、液晶ディスプレイ等の比較的大型でメッセージ表示等が可能な表示部を設けなくとも、ユーザーが操作手順を理解し、取扱説明書を見なくとも正しく操作できるようにすることを目的とする。特には本発明は、光ディスク等の記録媒体に記録されているデータを携帯電話機等の外部機器に転送することのできるデータ転送装置として、そのような操作の容易性を実現する。
【課題を解決するための手段】
【０００５】
本発明のデータ転送装置は、外部機器を接続するコネクタ部と、記録媒体に記録されているデータを再生する再生部と、上記再生部で再生されるデータを上記コネクタ部に接続された外部機器に転送させる転送処理部と、上記コネクタ部に対応する位置において発光動作を行う第１の発光部と、上記コネクタ部に接続された外部機器に対してのデータ転送の実行指示のための操作子とされた転送操作部と、上記転送操作部に対応する位置において発光動作を行う第２の発光部と、上記コネクタ部に外部機器が接続されていない状態において、上記第１の発光部に、外部機器の接続を誘導する発光態様の発光動作を実行させるとともに、上記コネクタ部に外部機器が接続されていることが確認された状態において、上記第２の発光部に、上記転送操作部の操作を誘導する発光態様の発光動作を実行させる制御部とを備える。
また上記再生部は、可搬性の記録媒体からデータを再生する再生部であるとともに、記録媒体に関しての発光動作を行うように配置された第３の発光部を備え、上記制御部は、上記再生部に記録媒体が装填されていない場合は、上記第３の発光部に、記録媒体の装填を誘導する発光態様の発光動作を実行させる。
またこの場合、上記制御部は、上記コネクタ部に外部機器が接続されていることが確認され、かつ上記再生部にデータ再生可能な記録媒体が装填されていることが確認されたら、上記第２の発光部に、上記転送操作部の操作を誘導する発光態様の発光動作を実行させる。
また上記制御部は、上記第１の発光部に、外部機器の接続を誘導する発光態様として、発光と消灯を繰り返す発光動作を実行させる。
また上記制御部は、上記第２の発光部に、上記転送操作部の操作を誘導する発光態様として、発光と消灯を繰り返す発光動作を実行させる。
また上記制御部は、上記第３の発光部に、記録媒体の装填を誘導する発光態様として、発光と消灯を繰り返す発光動作を実行させる。
【０００６】
本発明の操作誘導方法は、上記のコネクタ部、再生部、転送処理部、第１の発光部、転送操作部、第２の発光部を備えたデータ転送装置の操作誘導方法として、上記第１の発光部に、上記コネクタ部への外部機器の接続を誘導する発光態様の発光動作を実行させるステップと、上記コネクタ部への外部機器の接続を確認するステップと、上記コネクタ部に外部機器が接続されたことが確認された状態において、上記第２の発光部に、上記転送操作部の操作を誘導する発光態様の発光動作を実行させるステップとを備える。
【０００７】
このような本発明のデータ転送装置とは、例えば携帯電話器等の外部機器を接続し、その外部機器に対して、光ディスク等の記録媒体から再生したデータ（例えばオーディオデータ）を転送する機器である。そして、そのデータ転送のためのユーザー操作を、第１，第２（，及び第３）の発光部の発光動作により案内する。
データ転送を行うためには、ユーザーは、携帯電話器等をコネクタ部に接続した上で、転送開始を指示する転送操作部を操作する必要がある。また記録媒体が、例えばＣＤ（Compact Disc）、ＤＶＤ（Digital Versatile Disc）等の光ディスクなどのような可搬性の記録媒体である場合は、ユーザーはそのような記録媒体を正しく装填しておくことが必要である。
このようなユーザーの操作（動作）を、第１，第２（，及び第３）の発光部の点滅や早点滅などの発光動作（発光と消灯を繰り返す発光動作）により、ユーザーが直感的に理解できるようにして案内する。
【発明の効果】
【０００８】
本発明によれば、データ転送装置に対して、ユーザーは第１，第２，第３の発光部の点滅などに応じて、外部機器の接続や転送開始の操作、或いは記録媒体の装填等を行えばよく、取扱説明書を見なくとも、直感的に操作を理解でき、非常に使用性のようものとできる。
そして、発光部の発光態様（点灯や点滅等）のシンプルな表示により、煩雑な操作を要求しないことが明確になるという利点もある。
またメッセージ表示等のための比較的大型の表示部、例えば液晶ディスプレイ等を必要としないことから、機器構成の簡略化、コストダウン、消費電力の削減等の効果を得ることができる。
【発明を実施するための最良の形態】
【０００９】
以下、本発明の実施の形態としてのデータ転送装置を説明する。
本例のデータ転送装置は、オーディオＣＤに記録された楽曲等のオーディオデータを、携帯電話器に転送できる装置とする。
例えば携帯電話器が、内蔵するメモリやメモリカード等にオーディオデータを格納し、そのオーディオデータを再生する機能を備えたものである場合、ユーザーは、その携帯電話器にオーディオデータを取り込むことが必要になるが、本例のデータ転送装置は、ユーザーが所持するオーディオＣＤの音楽等を、携帯電話器に取り込みたい場合に使用する装置である。さらに、通常時は携帯電話器に対する充電台としても機能する機器であるとする。
【００１０】
図１にデータ転送装置１の外観例を示す。図１（ａ）に示すように、データ転送装置１は、その筐体上面部にコネクタ部３が設けられている。このコネクタ部３は、上面に設けられた凹み部分３ａに配置されている。このコネクタ部３には、図２に示すように携帯電話機９０が装着される。即ちコネクタ部３は、携帯電話器９０の下端部に設けられているコネクタ部分に適合する端子構造とされており、図２のようにデータ転送装置１上に携帯電話器９０を接続して載置することができるようにされている。
図２のように携帯電話器９０が載置された場合、ユーザーが特にデータ転送装置１の操作を行わなければ、携帯電話器９０に対する充電動作を行う。なお、データ転送装置１には、図示しない電源端子にＡＣアダプタ２０が接続される。ＡＣアダプタ２０によって得られた直流電圧がデータ転送装置１の動作や充電のための電源として用いられる。
【００１１】
またデータ転送装置１の筐体正面には、ユーザーが操作に用いる操作子として、スタンバイキー４，ＲＥＣキー５、イジェクトキー６が設けられている。
このデータ転送装置１は、通常時は図２のように携帯電話器９０が載置されることで、携帯電話器９０に対する充電台として機能するが、ユーザーの操作によって携帯電話器９０に対するオーディオデータの転送装置としても動作する。スタンバイキー４は、ユーザーが、データ転送装置１を用いてデータ転送を行いたい場合に操作する操作子である。つまりスタンバイキー４が押されることで、データ転送装置１がデータ転送のための処理動作を開始する。
ＲＥＣキー５は、実際に携帯電話器９０へのオーディオデータの転送を開始させるためにユーザーが操作する操作子である。
【００１２】
イジェクトキー６は、ディスクトレイをオープンさせるためにユーザーが操作する操作子である。
図１（ａ）のように、データ転送装置１の前面にはディスクトレイ２が設けられており、ユーザーがイジェクトキー６を押すことで、図１（ｂ）のようにディスクトレイ２がオープン状態となる。ディスクトレイ２には、オーディオＣＤのセンターホールに嵌合するチャッキング部１１や、そのオーディオＣＤを回転させる図示しないスピンドルモータや、回転されているオーディオＣＤから情報を読み取る光学ピックアップ１０などが設けられている。
ユーザーは、このディスクトレイ２にオーディオＣＤを装着してディスクトレイ２を閉じることで、データ転送装置１がオーディオＣＤの再生動作を行うことができる。
【００１３】
またデータ転送装置１には、ＬＥＤ（Light Emitting Diode）を用いた３つの発光部が設けられている。
まずコネクタ部３が配置された凹み部分３ａの周囲にリング状の発光窓７ａが形成され、この内部にＬＥＤが配置されている。この発光窓７ａの内部のＬＥＤは、コネクタ部３に対応する位置において発光動作をするものとして、以下、コネクタＬＥＤ７と呼ぶこととする。
またＲＥＣキー５の上面に小孔が設けられ、その位置にＬＥＤが配置されている。このＬＥＤは、ＲＥＣキー５に対応する位置において発光動作をするものとして、以下、ＲＥＣ−ＬＥＤ８と呼ぶこととする。
さらに、イジェクトキー６の近辺に小孔が設けられ、その位置にＬＥＤが配置されている。このＬＥＤは、ディスクトレイ２に装填されるディスクの状況（ディスクの有無や種別等）に関しての発光動作を行うものであることを示すためにイジェクトキー６に近接配置されるものであり、以下、ディスクＬＥＤ９と呼ぶこととする。
【００１４】
コネクタＬＥＤ７、ＲＥＣ−ＬＥＤ８、ディスクＬＥＤ９は、それぞれ配置位置と発光態様によって、その発光動作の意味を明示的に示すようにされている。
コネクタＬＥＤ７、ＲＥＣ−ＬＥＤ８、ディスクＬＥＤ９は、発光態様として、それぞれ消灯、点灯、点滅、早点滅（点灯−消灯周期の短い点滅）が実行される。
そしてコネクタＬＥＤ７は、コネクタ部３の周囲で発光動作を行うものとされることで、それがコネクタ部３と接続される携帯電話器９０に関する発光動作であることをユーザーに認識させるものとされている。例えば、携帯電話器９０が装着されていない状態でコネクタＬＥＤ７を点滅させると、ユーザーにとっては、コネクタ部３への携帯電話器９０の装着を誘導するメッセージであると直感的に理解できるものとなる。
またＲＥＣ−ＬＥＤ８はＲＥＣキー５上で発光動作を行うものとされることで、それがＲＥＣキー５による転送動作に関する発光であるとユーザーに認識させる。例えばＲＥＣ−ＬＥＤ８を点滅させると、ユーザーにとっては、ＲＥＣ−ＬＥＤ８の操作を誘導するメッセージであると直感的に理解できるものとなる。
またディスクＬＥＤ９は、イジェクトキー６の近辺に配置されることで、ユーザーは、その発光動作は、ディスクに関するものと理解できる。
【００１５】
なお、発光態様としての消灯、点灯、点滅、早点滅については、一般にユーザーは、点灯は正常、点滅は処理中または誘導中、早点滅は異常を示すこととして捉えることを考慮して、各種場合に応じて後述するように切換制御されればよい。
【００１６】
コネクタＬＥＤ７、ＲＥＣ−ＬＥＤ８、ディスクＬＥＤ９による発光色については多様に考えられるが、上記のようにユーザーが、発光動作の意味を直感的にわかりやすくさせるような色を採用することが好ましい。
例えばコネクタＬＥＤ７は携帯電話器９０の接続に関する発光動作を行うため、接続する携帯電話器９０のイメージカラー（例えばオレンジ）とすることが考えられる。
また、一般的にオーディオ／ビデオ機器等で、録音ボタンに赤が採用されることから、ＲＥＣ−ＬＥＤ８の発光色は赤とすることが考えられる。
また、ディスクＬＥＤ９については、パーソナルコンピュータ用ＣＤドライブ等のアクセスＬＥＤの色として一般的に緑が用いられていることから、緑とすることが考えられる。
なお、ここで言う発光色とは、ユーザーが視認する色のことであり、ＬＥＤ自体の発光色でも良いし、カラーフィルタ等を介して視認される色であってもよい。
【００１７】
図３にデータ転送装置１の内部構成を示す。
制御部３０は、例えばＣＰＵ（Central Processing Unit ）、ＲＯＭ（Read Only Memory）、ＲＡＭ（Random Access Memory）、インターフェースを備えたマイクロコンピュータにより形成され、動作プログラムや操作入力に応じて、データ転送装置１が充電機能及び転送機能に関しての所要の動作を実行するように図示する各部を制御する。
【００１８】
メディアドライブ３１は、上記のディスクトレイ２に装填されたオーディオＣＤを再生する再生部である。装填されたオーディオＣＤをスピンドルモータにより回転させながら、光学ピックアップによりレーザ光を照射し、その反射光を検出する。そして反射光から得られる信号に対して所要のデコード処理を行って、オーディオＣＤに記録されているオーディオデータやサブコード情報（管理情報）を再生する。
メディアドライブ３１は、制御部３０の指示に応じてこのようなオーディオＣＤに対する再生動作を行う。携帯電話器９０へのデータ転送時には、オーディオＣＤから再生したオーディオデータをＵＳＢコントローラ３２に供給する。
なおディスクが装填された際には、メディアドライブ３１はディスクに対する初期処理としてディスクに対して再生可能にするための立ち上げ処理や管理情報（例えばオーディオＣＤにおいてサブコードで構成されるＴＯＣ（Table of Contents）情報など）の読み出しを行う。制御部３０は、メディアドライブ３１において適正に立ち上げ処理が完了できたか否かの状況や、オーディオＣＤとしての管理情報が読み出されたかなどにより、データ転送に用いる適正なディスクが装填されているか否かを判別することができる。
【００１９】
本例では、一例として適正なディスクはオーディオＣＤであるとする。ここでいうオーディオＣＤとは、ＣＤ−ＤＡ（Compact Disc Digital Audio）か、或いはＣＤ−Ｒ（Compact Disc - Recordable）、ＣＤ−ＲＷ（Compact Disc - Rewritable）であってオーディオデータが記録済のディスクであるものとする。つまりメディアドライブ３１を、いわゆるオーディオＣＤプレーヤ部として考えた場合に、オーディオデータが再生できるＣＤ方式のディスクである。これ以外のディスク、即ちオーディオデータ以外のデータファイルが記録されたＣＤ−ＲＯＭ（Compact Disc - Read Only Memory） 、或いはオーディオデータが未記録のＣＤ−Ｒ、ＣＤ−ＲＷ、さらにはＤＶＤ（Digital Versatile Disc）方式のディスク、ブルーレイ方式のディスクなどは、本例のデータ転送装置１では再生できない非対応ディスクとする。
【００２０】
また、図３におけるメディアドライブ３１は、ディスクトレイ２をオープンさせる機構部分も含むものとしており、制御部３０の指示に応じて当該機構を駆動し、ディスクトレイ２を図１（ｂ）の状態にオープンさせる。なお、オープンされたディスクトレイ２は、ユーザーが押し戻すことでクローズ状態となる。
またメディアドライブ３１には、ディスクトレイ２がオープン状態かクローズ状態にあるかを検出するセンサが備えられ、ディスクトレイ２のオープン／クローズの情報を制御部３０に供給できるように構成されている。
【００２１】
ＵＳＢコントローラ３２は、ＵＳＢ（Universal Serial Bus）方式で携帯電話器９０との通信を行う。特には、ＵＳＢコントローラ３２は、メディアドライブ３１で再生されたオーディオデータを、コネクタ部３に接続された携帯電話器９０に転送する転送処理部として機能する。
ＵＳＢコントローラ３２によって携帯電話器９０との間でＵＳＢ方式での通信が行われることで、コネクタ部３には、少なくともＵＳＢ接続のための４つの端子が形成され、４つのラインが携帯電話器９０との間で接続されることになる。即ちＤ＋ライン、Ｄ−ラインとしてのデータラインと、バスパワーＶBUSを供給する電源ラインと、グランドラインである。
データ転送の実行時には、ＵＳＢコントローラ３２は、メディアドライブ３１で再生されたオーディオデータをＵＳＢ通信フォーマットにエンコードし、携帯電話器９０との間でのデータ通信（Ｄ＋ライン、Ｄ−ラインの通信）を実行することで、オーディオデータを携帯電話器９０に転送する。
【００２２】
コネクタ部３は、図１，図２のように携帯電話器９０が接続される端子構造を持つが、図３では、その内で本例の動作に関連する５つの端子を示している。そのうちの４つの端子は上記のＵＳＢ接続に用いられる端子である。また１つの端子は、データ転送装置１が充電台として機能しているときに、充電電流を供給するための端子とされる。
【００２３】
電源部３３は、ＤＣ／ＤＣコンバータを備え、ＡＣアダプタ２０から供給される直流電圧から各部に必要な電圧を生成する。例えば制御部３０やメディアドライブ３１に対する電源電圧Ｖ１，Ｖ２や、ＵＳＢコントローラ３２及び外部機器（携帯電話器９０）にバスパワーとして供給する電圧ＶBUS、さらには携帯電話器９０に充電を行うための電圧Ｖcgを生成する。
電源部３３による電圧ＶBUS、Ｖcg等の供給の有無、即ち電源オン／オフは制御部３０によって制御される。
【００２４】
発音部３４は電子音を発生させる部位である。制御部３０は所定のタイミングで発音部３４に電子音を発生させる。
【００２５】
上述したように筐体上に配置されるスタンバイキー４、ＲＥＣキー５、イジェクトキー６が操作された場合は、その操作情報は制御部３０に供給される。制御部３０は操作情報に応じた制御処理を行う。
スタンバイキー４が操作された場合、制御部３０は転送機能を実行する状態に移行する処理を行う。或いは転送完了後に、スタンバイキー４が操作された場合は、充電台機能に戻る処理を行う。
ＲＥＣキー５が操作された場合、制御部３０はメディアドライブ３１での再生処理と、ＵＳＢコントローラ３２による転送処理を実行させる。
なお、ＲＥＣキー５が長押し（例えば２〜３秒程度の継続押し）された場合は、制御部３０は、ユーザーが転送動作のキャンセル操作を行ったとしてキャンセル処理を行う。
イジェクトキー６が操作された場合、制御部３０はメディアドライブ３１におけるイジェクト動作、つまりディスクトレイ２をオープンさせる制御を行う。
【００２６】
ＬＥＤ発光部３５，３６，３７は、それぞれコネクタＬＥＤ７、ＲＥＣ−ＬＥＤ８、ディスクＬＥＤ９を発光駆動する部位であり、それぞれ制御部３０からの発光駆動パルスが与えられることで、ＬＥＤ発光を実行する。
制御部３０は、ＬＥＤ発光部３５，３６，３７に与える発光駆動パルスのパルス幅やパルス周期の切り換えにより、コネクタＬＥＤ７、ＲＥＣ−ＬＥＤ８、ディスクＬＥＤ９のそれぞれの発光態様として点灯（連続発光）、点滅、早点滅を切り換えることができる。
【００２７】
このような本例のデータ転送装置１は、通常は充電台として機能する。即ち電源部３３からは充電電圧Ｖcgが出力される状態とし、携帯電話器９０がコネクタ部３に載置されれば、そのコネクタ部３に充電電圧Ｖcgが印加され、携帯電話器９０内の二次電池に対して充電電流が供給されて充電が行われる。
ユーザーは、データ転送装置１を用いて、オーディオＣＤに収録されている音楽等を携帯電話器９０に取り込ませたい場合は、スタンバイキー４を操作する。
スタンバイキー４が操作されることにより、制御部３０はデータ転送を行うための処理を開始する。
【００２８】
データ転送動作を行う際の制御部３０の処理を図４，図５，図６に示し、またその処理によってユーザーの操作誘導のために行われる各段階での各ＬＥＤ（以下「各ＬＥＤ」とは、コネクタＬＥＤ７、ＲＥＣ−ＬＥＤ８、ディスクＬＥＤ９を指す）の発光状態Ｌ１〜Ｌ７を図７に示す。なお、図７に示す発光状態Ｌ１〜Ｌ７となるタイミングを、図４，図５，図６のステップに付記することで示している。
【００２９】
図４のステップＦ１００は、データ転送装置１が充電台として機能している状態を示している。このステップＦ１００とき、各ＬＥＤは発光状態Ｌ１、即ち全て消灯状態である。つまり充電台として機能している期間は、制御部３０は、各ＬＥＤを消灯状態のままとしている。
スタンバイキー４の操作を検知した場合、制御部３０は処理をステップＦ１０１からＦ１０２に進める。ステップＦ１０２では、制御部３０はコネクタＬＥＤ７とディスクＬＥＤ９の点滅を開始させる（図７の発光状態Ｌ２）。
そしてステップＦ１０３に進み、携帯電話接続確認処理（Ｆ１０３ａ）とディスク確認処理（Ｆ１０３ｂ）を実行する。
【００３０】
ステップＦ１０３ａの携帯電話接続確認処理を図５に示す。制御部３０はステップＦ２０１でＵＳＢコントローラ３２に対して接続認証の実行を指示する。ＵＳＢコントローラ３２は、制御部３０の指示に応じて、コネクタ部３に接続されている携帯電話器９０に対するＵＳＢ通信を試行する。この場合に、ＵＳＢ通信が正常に実行できれば、コネクタ部３にＵＳＢ通信に対応する携帯電話器９０が適切に接続されているとして認証ＯＫとし、制御部３０に接続認証ＯＫを通知する。
一方、コネクタ部３に携帯電話器９０が適切に接続されていなければ、当然ＵＳＢ通信は正常に実行できない。即ち、ユーザーが携帯電話器９０をまだ載置していない場合や、ユーザーは携帯電話器９０を載置したつもりであるのにコネクタ同志が適切に接合状態にないような場合は、通信エラーとなる。このような場合は、ＵＳＢコントローラ３２は制御部３０に対して接続認証ＮＧの通知を行う。
【００３１】
制御部３０は、接続認証ＮＧの通知があった場合は、ステップＦ２０１で接続認証の指示を繰り返す。つまり制御部３０は接続認証ＯＫの通知があるまでは、上記図４のステップＦ１０２でコネクタＬＥＤ７を点滅させた状態のまま、繰り返しＵＳＢコントローラ３２に接続認証を実行させる。
接続認証ＯＫの通知があった場合、処理をステップＦ２０２からＦ２０３に進める。このとき、コネクタＬＥＤ７を、それまでの点滅から点灯に切り換える（図７の発光状態Ｌ３）。この時点で、携帯電話器９０は適正にコネクタ部３に接続されていることが確認できたとして、携帯電話接続確認処理を完了する。
なお、図７の発光状態Ｌ３では、ディスクＬＥＤ９については消灯、点灯、点滅、早点滅のいずれかとして示しているが、これは、その時点でのディスク確認処理の状況によるためである。
【００３２】
ステップＦ１０３ｂとしてのディスク確認処理を図６に示す。
制御部３０は、まずステップＦ３０１で、メディアドライブ３１においてディスクトレイ２がオープン状態にあるか否かを判別して処理を分岐する。
もしディスク確認処理を開始した時点でディスクトレイ２がオープン状態であったら、ステップＦ３０３に進んで、ディスクＬＥＤ９を消灯させる。そしてステップＦ３０４で、ディスクトレイ２がクローズ状態となるまで待機する。ディスクトレイ２がオープンされている場合、その後にユーザーがディスクを装填して（或いはディスクを装填しないまま）、ディスクトレイ２を筐体内部に押し戻してクローズする。
ディスクトレイ２がクローズ状態になったら、制御部３０はステップＦ３０５に進み、ディスクＬＥＤ９を点滅状態とする。
【００３３】
ステップＦ３０１でディスクトレイ２がクローズ状態であったことが検出された場合、或いはステップＦ３０４でディスクトレイ２がクローズ状態になったことが検出された場合に、制御部３０はステップＦ３０２のディスク有無／種別確認の処理を行う。
これは、メディアドライブ３１に再生のための初期動作を実行させて、メディアドライブ３１からディスクの情報を受け取る処理となる。
メディアドライブ３１は制御部３０の指示に応じて、ディスク再生のための立ち上げ処理（例えばレーザ出力開始、各種サーボ系の整定）を行い、情報読み出しが可能な状態となったら、ディスクから管理情報（ＴＯＣ）の読み出しを行う。オーディオＣＤとしての適切な管理情報が読み出せれば、メディアドライブ３１は、装填されているディスクが適正なオーディオＣＤであると判別でき、その場合は制御部３０に適正なディスクが装填されている旨の通知を行う。
一方、オーディオＣＤとしてのＴＯＣ情報が得られず、オーディオＣＤ以外の非対応ディスクが装填されていると判断した場合は、メディアドライブ３１は制御部３０に非対応ディスクが装填されている旨を通知する。
さらに、反射光情報が検出できない場合などは、メディアドライブ３１はディスク装填されていないと判定することができるが、その場合メディアドライブ３１は制御部３０に対してディスクが装填されていない旨の通知を行う。
【００３４】
制御部３０は、メディアドライブ３１からの通知を確認し、処理を分岐する。
非対応ディスクが装填されていると判別された場合は、制御部３０は処理をステップＦ３０６からＦ３０７に進め、メディアドライブ３１にディスクトレイ２をオープンさせる指示を行う。そしてステップＦ３０３に進んで、ディスクＬＥＤ９を消灯させる。
その後ステップＦ３０４で、ディスクトレイ２がクローズ状態となるまで待機し、クローズ状態になったら、制御部３０はステップＦ３０５に進み、ディスクＬＥＤ９を点滅状態とし、再びステップＦ３０２の制御を行う。
つまりこの場合は、非対応ディスクが装填されていることから、ディスクトレイ２を排出させてユーザーにオーディオＣＤへの交換を促す動作を実行させるものとなる。
【００３５】
また制御部３０は、ディスクが装填されていないことが検出された場合は、処理をステップＦ３０８からＦ３０９に進める。この場合、ユーザーにディスク未装填という状態を通知するため、制御部３０はディスクＬＥＤを早点滅させる。
この場合、ユーザーは、ディスクＬＥＤ９の早点滅によりディスク未装填を知って、ディスクを装填するためにイジェクトキー６を操作する場合がある。ユーザーがイジェクトキー６の操作を行った場合は、制御部３０はステップＦ３１０からステップＦ３１３に進んで、メディアドライブ３１にディスクトレイ２のオープンを指示し、ディスクトレイを排出させる。そしてステップＦ３０３に進んでディスクＬＥＤ９を消灯させる。
その後ステップＦ３０４で、ディスクトレイ２がクローズ状態となるまで待機し、クローズ状態になったら、制御部３０はステップＦ３０５に進み、ディスクＬＥＤ９を点滅状態とし、再びステップＦ３０２の制御を行う。
つまりこの場合は、ディスクが装填されていないことをディスクＬＥＤの早点滅によってユーザーが理解し、イジェクトキー６の操作を行った場合に対応する処理となる。
【００３６】
一方、ステップＦ３１０でユーザーのイジェクトキー６の操作が検知されていない期間では、ステップＦ３１１で、上記図５の携帯電話接続確認処理が完了しているか否かを確認する。イジェクトキー６の操作が行われなくとも、携帯電話器９０の接続が確認されていれば、ステップＦ３１２に進み、今回がディスク無しの検出の１回目（１回目の意味は後述）であれば、ステップＦ３１３に進んで、メディアドライブ３１にディスクトレイ２のオープンを指示し、ディスクトレイを排出させる。そしてステップＦ３０３に進んでディスクＬＥＤ９を消灯させる。
その後ステップＦ３０４で、ディスクトレイ２がクローズ状態となるまで待機し、クローズ状態になったら、制御部３０はステップＦ３０５に進み、ディスクＬＥＤ９を点滅状態とし、再びステップＦ３０２の制御を行う。
つまりこの場合は、ディスクが装填されていないことをディスクＬＥＤの早点滅によってユーザーに示した場合に、携帯電話器９０の接続確認がとれているなら、イジェクトキー６の操作を待つことなく、ディスクトレイ２をオープンさせ、ユーザーにディスクの装填を促す処理となる。
【００３７】
なお、ステップＦ３１２で判断するディスク無しの検出の１回目とは、スタンバイキー４が操作されてこの図６のステップＦ１０３ｂに進んだ後において、はじめてディスク無しが検出された場合であるか否かという意味である。
例えば１回目のディスク無し検出によって、ステップＦ３１３でディスクトレイ２がオープンされた場合に、ユーザーに、データ転送を実行させたいという意志があれば、オーディオＣＤを装填してディスクトレイ２をクローズすることになるが、もしデータ転送を中止させたい場合や、誤ってスタンバイキー４を押してしまった場合などは、オープンされたディスクトレイ２にディスクをセットしないまま、ディスクトレイ２を押し戻してクローズさせることが考えられる。するとその場合、ステップＦ３０２の制御により再びディスク無しが検出されてしまう。このようなときに、イジェクトキー６の操作（つまりユーザーの意志）がないままステップＦ３１３に進んでディスクトレイ２をオープンさせてしまうことは不適切である。つまりユーザーがディスクを装填する意志が無いのに何度も自動的にディスクトレイ２をオープンさせることは好ましくない。このため、ディスク無しの検出が２回目となった以降は、ステップＦ３１２からディスク確認処理を終了させ、ディスクトレイ２をオープンさせないようにするものである。
なおステップＦ３１２からディスク確認処理を終了した場合、オーディオＣＤが適正に装填されていないままの状態となるが、その場合、ユーザーは、データ転送を実行させないのであれば、キャンセル操作（ＲＥＣキー５の長押し）を行うか、或いは、データ転送を行うのあれば、イジェクトキー６を操作してディスクトレイ２を排出させ、ディスクを装填しようとする。
図４、図６のフローチャートには示していないが、キャンセル操作が行われた場合は、制御部３０は充電台機能に戻す制御をすればよいし、イジェクトキー６が操作された場合は、図６のステップＦ３１３→ステップＦ３０３と進むようにすればよい。
【００３８】
制御部３０は、ステップＦ３０２のディスク有無／種別確認の制御を行った後、メディアドライブ３１からオーディオＣＤが適正に装填されていると通知を受けた場合は、ステップＦ３１４に進み、ディスクＬＥＤ９を点灯状態とする（図７の発光状態Ｌ４）
この時点で、オーディオＣＤの装填が確認できたことになり、ディスク確認処理を完了する。
なお、図７の発光状態Ｌ４では、コネクタＬＥＤ７については点灯、点滅のいずれかとして示しているが、これは、その時点での携帯電話接続確認処理の状況によるためである。
【００３９】
図４のステップＦ１０３では、制御部３０は、上記図５のようにＵＳＢコントローラ３２に対して携帯電話接続確認を実行させて携帯電話器９０の接続確認を行うとともに、上記図６のようにメディアドライブ３１に対してディスクの有無及び種別を確認させ、正しくオーディオＣＤが装填されているか否かを判別する。
そしてステップＦ１０３の両処理（Ｆ１０３ａ、Ｆ１０３ｂ）の結果をステップＦ１０４で確認し、携帯電話器９０の接続が確認され、かつオーディオＣＤの装填が確認されたら、ステップＦ１０５に進んで、ＲＥＣ−ＬＥＤ８を点滅させる。即ち図７の発光状態Ｌ５とする。この場合、携帯電話器９０の接続確認がとれていることで、コネクタＬＥＤ７は点灯されており、またオーディオＣＤの装填が確認できたことでディスクＬＥＤ９も点灯されている。そしてＲＥＣ−ＬＥＤ８が点滅している。これは、ユーザーに対してデータ転送のための準備が整ったため、ＲＥＣキー５を押すことを誘導する発光動作となる。
【００４０】
ＲＥＣ−ＬＥＤ８が点滅していることによって案内されたユーザーが、転送開始を指示するためにＲＥＣキー５を操作したら、制御部３０は処理を図４のステップＦ１０６からＦ１０７に進める。ここで制御部３０は、ＲＥＣ−ＬＥＤ８を点灯状態に切り換える。そしてステップＦ１０８でデータ転送を開始させる。つまり、メディアドライブ３１にオーディオＣＤの再生を開始させるとともに、ＵＳＢコントローラ３２には、再生されたオーディオデータの携帯電話器９０への転送処理を実行させる。なおこの際、制御部３０はメディアドライブ３１に対してｎ倍速再生（例えば４倍速、８倍速、１６倍速など）を実行させることで、転送期間を短縮できる。
このようデータ転送が開始される時点で、各ＬＥＤは図７の発光状態Ｌ６とされ、各ＬＥＤが全て点灯状態となることで、データ転送中であることが明示される。
【００４１】
データ転送中は、制御部３０はステップＦ１０９で転送完了を待機する。そしてデータ転送が完了したら、ステップＦ１１０に進み、発音部３４に電子音を発生させ、ユーザーに転送完了を知らせる。また制御部３０はステップＦ１１１でＲＥＣ−ＬＥＤ８を消灯する。このため、データ転送が完了した後は、各ＬＥＤは図７の発光状態Ｌ７となり、コネクタＬＥＤ７とディスクＬＥＤ９が点灯、ＲＥＣ−ＬＥＤ８が消灯の状態となる。
ユーザーは、電子音及び発光状態Ｌ７により転送完了を認識した後、スタンバイキー４を押すことで、充電台機能に戻すことができる。即ち制御部３０はステップＦ１１２でスタンバイキー４の操作を検知したら、ステップＦ１００に戻って充電台として機能する状態に戻す制御を行う。
【００４２】
なお、図４、図５，図６のフローチャートは、データ転送に関する一連の処理を理解しやすくするために簡易化して示した。
実際には、上記処理過程の多様な時点でユーザーがイジェクトキー６、スタンバイキー４、ＲＥＣキー５の操作を行うことがあり、その場合は、その処理状況に応じた制御処理が行われることになる。例えばステップＦ１０６でＲＥＣキー５の操作を待つ期間に、ユーザーがオーディオＣＤの入れ替えのためにイジェクトキー６を操作する場合もあるし、ＲＥＣキー５を長押しして転送処理をキャンセルすることもある。また、データ転送完了後でステップＦ１１２でスタンバイキー４の操作を待機しているときに、ユーザーが次のオーディオＣＤに入れ換えてデータ転送を行うためにイジェクトキー６を操作することもある。またデータ転送中にＲＥＣキー５を長押しされることもあり得る。
例えばイジェクトキー６が操作された場合は、制御部３０は図４のステップＦ１０３ａのディスク確認処理に戻り、図６のステップＦ３０３からの処理を行えばよい。
またＲＥＣキー５の長押しによってキャンセル操作が行われた場合は、制御部３０はそのときの状況に応じてキャンセル処理を行えばよい。
【００４３】
また、上記各フローチャートに示していないが、コネクタＬＥＤ７やＲＥＣ−ＬＥＤ８が早点滅とされることもある。
例えばデータ転送中になんらかの原因で転送エラーが発生したような場合、制御部３０はＲＥＣ−ＬＥＤ８を早点滅とし、ユーザーに転送動作に関して異常が発生したことを告知する。また携帯電話器９０との接続に関して異常が発生した場合、制御部３０はコネクタＬＥＤ７を早点滅とさせてユーザーに告知する。
【００４４】
以上の説明から理解されるように本例のデータ転送装置１では、データ転送を行う場合に、コネクタＬＥＤ７、ＲＥＣ−ＬＥＤ８、ディスクＬＥＤ９により、ユーザーに対して誘導を行う。
即ち、データ転送機能の動作を始めるときにはコネクタＬＥＤ７を点滅させることで、ユーザーに携帯電話器９０の接続の操作を誘導する。携帯電話器９０の接続認証が確立すると、コネクタＬＥＤ７を点灯として、携帯電話器９０の接続に関してのユーザーの誘導を終了する。
また、データ転送のためには、メディアドライブ３１が再生可能なオーディオＣＤが装填されている必要があるが、このディスクＬＥＤ９を点滅させることでディスク確認中であることをユーザーに提示し、またディスク未装填に場合は、早点滅によりユーザーに装填を誘導する。なおディスクに関しては、ディスクトレイ２をオープンさせることでもユーザーに適正なオーディオＣＤの装填を促している。
また、携帯電話器９０が接続され、オーディオＣＤが装填されたことが確認できたら、ＲＥＣ−ＬＥＤ８の点滅によりＲＥＣキー５の操作を誘導する。
【００４５】
このような誘導が行われることで、ユーザーは直感的にデータ転送のために実行すべき操作として携帯電話器９０の接続やディスク装填及び転送開始の操作を、それぞれ認識でき、取扱説明書を見なくとも適正な操作によりデータ転送を実行させることができる。
また、各ＬＥＤの発光態様（点灯や点滅等）によるシンプルな表示により、煩雑な操作を要求しないことが明確になり、ユーザーは手軽に使用できることを認識しやすい。
またメッセージ表示等も行わないため、比較的大型の表示部、例えば液晶ディスプレイ等を必要としないことから、機器構成の簡略化、コストダウン、消費電力の削減等の効果を得ることができる。
【００４６】
以上、実施の形態のデータ転送装置１について説明してきたが、本発明としては多様な変形例が考えられる。
例えば上記データ転送装置１のような操作子の構成において、全ての操作子と同じ位置にＬＥＤを配置し、次に操作すべき操作子を、ＬＥＤの点滅により示して操作を誘導するようにしてもよい。
【００４７】
また転送するデータを記録してある記録媒体は、オーディオＣＤに限らず、多様な記録媒体が想定される。例えばＣＤ方式、ＤＶＤ方式、ブルーレイディスク方式、ミニディスク方式などの各種の光ディスク（光磁気ディスク）や、フラッシュメモリ等の固体メモリを内蔵したメモリカードなどを、本発明でいう記録媒体（つまりデータ転送元のメディア）として用いることもある。
またこれらの可搬性メディアに限らず、内蔵型のＨＤＤ（Hard Disc Drive）や固体メモリなどの非可搬性メディアを転送元のメディアとしてもよい。
即ち記録媒体は、あくまでも本発明のデータ転送装置の再生部がデータ再生できるメディアであればよい。
【００４８】
なお、非可搬性のメディアを記録媒体として用いる場合は、上記実施の形態におけるディスクＬＥＤ９のように、メディアの状態を提示する発光部は不要とすることができる。
また例えばＣＤ等の可搬性メディアを記録媒体として用いる場合でも、データ転送装置の筐体の一部を透明又は半透明として、ディスク装填の有無を視認できるようにされている場合には、ディスクＬＥＤ９のようなメディアに関する発光を行う発光部を不要とすることもできる。もちろん視認できる場合であっても、メディアの入れ替えを促す発光表示のためなどにＬＥＤを用いることも考えられる。
【００４９】
また本発明のデータ転送装置が転送するデータは、オーディオデータに限られない。動画ビデオデータ、静止画データ、プログラム、テキストファイル、データファイルなどを外部機器に転送する装置としても本発明は適用できる。
さらに、データ転送先となる外部機器は、携帯電話器に限らず、オーディオプレーヤ、ビデオプレーヤ、カメラ機器、ナビゲーション装置、ＰＤＡ（Personal Digital Assistant）などの多様な機器が想定される。
もちろんデータ転送のための通信方式もＵＳＢ通信に限らず、ＩＥＥＥ１３９４方式やＰＣカードインターフェースによる通信などでもよい。
【図面の簡単な説明】
【００５０】
【図１】本発明の実施の形態のデータ転送装置の外観の説明図である。
【図２】実施の形態のデータ転送装置に携帯電話器を接続した状態の説明図である。
【図３】実施の形態のデータ転送装置のブロック図である。
【図４】実施の形態のデータ転送装置の処理のフローチャートである。
【図５】実施の形態の携帯電話器接続確認処理のフローチャートである。
【図６】実施の形態のディスク確認処理のフローチャートである。
【図７】実施の形態のＬＥＤ発光状態の説明図である。
【符号の説明】
【００５１】
１  データ転送装置、２  ディスクトレイ、３  コネクタ部、４  スタンバイキー、５  ＲＥＣキー、６  イジェクトキー、７  コネクタＬＥＤ、８  ＲＥＣ−ＬＥＤ、９  ディスクＬＥＤ、３０  制御部、３１  メディアドライブ部、３２  ＵＳＢコントローラ、３３  電源部、３４  発音部、３５，３６，３７  ＬＥＤ発光部
【図１】
2008003664.tif 000003
【図２】
2008003664.tif 000004
【図３】
2008003664.tif 000005
【図４】
2008003664.tif 000006
【図５】
2008003664.tif 000007
【図６】
2008003664.tif 000008
【図７】
2008003664.tif 000009